(57)【特許請求の範囲】
【請求項１】
透水性を有する素焼きの植木鉢において、本体壁部の外面は、通気性を有する不透水性の薄層部により覆われていることを特徴とする素焼きの植木鉢。
【請求項２】
透水性を有する素焼きの植木鉢において、本体壁部内面は、透水性の薄層部で覆われており本体壁部の外面は、通気性を有する不透水性の薄層部により覆われていることを特徴とする素焼きの植木鉢。
【発明の詳細な説明】
【０００１】
【産業上の利用分野】
本発明は、植木鉢に関し、特に、例えば、外形が、おもと、東洋蘭鉢形状、プラスチック鉢形状、ビニルポット形状若しくはプラ鉢形状等の瀬戸鉢又はプラスチック鉢又は深鉢、中深鉢、浅鉢その他素焼き鉢、駄温鉢又は山草鉢等の朱泥鉢、瀬戸鉢又は平鉢などその他市販の植木鉢及び箱形の植木鉢を含む植木鉢に関する。また、本発明は，植木鉢の壁が、植木鉢内の用土に含まれる水分の一部を保持することにより、植木鉢からの用土中の水分の蒸発を緩和し、また、植木鉢内に保持する水分を放出して、植木鉢の用土中の水分を調整することができる植木鉢に関する。
さらにまた、本発明は、植木鉢の壁が、水を透過させないが、通気性を有する植木鉢に関し、特に、本発明は、植木鉢の壁本体部の外面が、通気性を有する、不透水性の薄層部材で覆われている素焼き製の植木鉢に関する。
【０００２】
【従来の技術】
従来、植木鉢は、例えば、外形が、おもと、東洋蘭鉢形状、プラスチック鉢形状、ビニルポット形状若しくはプラ鉢形状等の瀬戸鉢又はプラスチック鉢、又は深鉢、中深鉢、浅鉢その他素焼き鉢、駄温鉢又は山草鉢等の朱泥鉢、瀬戸鉢又は平鉢、皿鉢などの植木鉢が市販され、植物の育成及び商用に使用されており、素焼き、陶器及びプラスチック材料などで作られている。植木鉢を使用して植物を育成させる場合、植木鉢内に適量の鉢用土を入れて、該用土内に植生する植物を植え、適度の日照、温度及び湿度を与えて植物を生育させる。植木鉢に使用される鉢用土は、水はけ、水持ち及び通気性がよく、その上に、与えられた肥料をよく保持でき、また清潔なものが良いとされる。
【０００３】
【発明が解決しようとする課題】
しかし、素焼き製の植木鉢は、焼き締まっていないために、比較的多孔質であり、壁体が透水性及び通気性を有するために、根腐れは少ないものの、用土中の水分が失われ易く、比較的頻繁に水やりをしないと、植木鉢中の植木が水枯れを起こし易く、比較的長時間にわたり留守にすることができず、問題とされている。また、陶磁器製の植木鉢は、焼き締まっているために、通気性及び透水性が乏しくなっており、根腐れを起こし易く、大量の水を加えることができず、問題とされている。
本発明は、従来の植木鉢、特に素焼き製の植木鉢の水やりに係る問題点を解決することを目的としている。
【０００４】
【課題を解決するための手段】
本発明は、透水性は少ないが、通気性がよいプラスチック薄膜で、通気性及び透水性の大きい植木鉢を被覆することにより、植木鉢の本体の壁面からの水の透過及び蒸発を緩和できる素焼きの植木鉢を提供することを目的としている。
【０００５】
即ち、本発明は、透水性を有する素焼きの植木鉢において、本体壁部の外面は、通気性を有する不透水性の薄層部により覆われていることを特徴とする素焼きの植木鉢にあり、また、本発明は、透水性を有する素焼きの植木鉢において、本体壁部内面は、透水性の薄層部で覆われており本体壁部の外面は、通気性を有する不透水性の薄層部により覆われていることを特徴とする素焼きの植木鉢にある。
【０００６】
【発明の実施の形態】
本発明において、素焼きの植木鉢は、育苗用、鑑賞用及びその他用途の植木鉢として使用することができるものである。
本発明の植木鉢用は、その植木鉢の本体の壁からの水分の蒸発を極力避けて、空気の通過ができるように、植木鉢の壁の外面は、空気の透過性を有するが、水を透過しない薄膜、例えば、空気透過性の、殊に、酸素透過性の良いプラスチック薄膜で覆われる。
【０００７】
本発明において、植木鉢本体は、市販の素焼きの植木鉢であり、その他に、箱やカップ等の種々の形状のものとすることができる。本発明において、市販の素焼きの植木鉢の外面に、前記空気の透過性を有するが、水を透過しない薄膜を被着することにより、素焼きの植木鉢の外面からの水分の逸失を少なくすると共に、植木鉢内に空気を侵入させて、植木鉢内の水の腐敗を避けるようにすることができる。
【０００８】
本発明において、素焼きの植木鉢の内側の面上を覆って、透水性の薄層部を設けることができ、さらに、前記素焼きの植木鉢の外側の面上を覆って、通気性を有する、不透水性の薄層部が形成することができる。この場合、前記透水性の薄層部は植木鉢の内面を形成し、前記通気性を有する不透水性の薄層部は、植木鉢の外面を形成する。
【０００９】
本発明において、外側の透水性の薄層部の破損及び植木鉢の乾燥を防止すると共に、酸素等の気体を侵入させて植物の根腐れを防止できるようにするために、外面側に、通気性を有する、不透水性の薄層を設けることができる。通気性を有し且つ不透水性の薄層部には、酸素ガスの透過係数が、１×１０１０（ｃｃ・ｃｍ／ｃｍ２・ｓｅｃ・ｃｍＨｇ）以上であるフィルムが好ましく、このようなフィルムとしては、ポリエチレン樹脂フィルム、ポリスチレンフィルム、セルロースアセテートフィルム、ポリカーボネートフィルム、及び天然ゴム製フィルム等のゴム系フィルムなどがある。
【００１０】
本発明において、植木鉢は、例えば、外形が、おもと、東洋蘭鉢形状、プラスチック鉢形状、ビニルポット形状若しくはプラ鉢形状等の瀬戸鉢又はプラスチック鉢又は深鉢、中深鉢、浅鉢その他素焼き鉢、駄温鉢又は山草鉢等の朱泥鉢、瀬戸鉢又は平鉢などその他市販の植木鉢及び箱形の植木鉢を含む植木鉢の形状の植木鉢を意味する。本発明において、鉢本体は、植木鉢の形状に応じて、種々の製法で製造することができる。本発明において、植木鉢の壁本体の外側表面には、手で持ち運びができるように、取っ手部を形成することができる。この場合、取っ手部は、例えば、植木鉢の、通気性の不透水性薄層部で形成されている壁本体の外周面を囲んで、又は前記壁本体の外面に直接固定して取り付けることができる。
【００１１】
本発明の植木鉢において、植木鉢の上には、植木鉢の上端部から用土の表面に接するように、植木鉢の内側に窪んだ断面形状を有する蓋部材を取り付けることができる。本発明において、蓋部材は、上方に立ち上がる周辺部及び該周辺部に連続する底辺部を有する蓋本体部とを備えており、該蓋本体部は、透水性を有する壁部材及び該壁部材の外面を覆う通気性を有する不透水性の薄層部を備え、該通気性を有し不透水性を有する薄層部の内側に、外側吸水性紙層部、５ｍｍ以下の粒度の繊維状の廃木材粒子に解繊して、５ｍｍ以下の粒度の繊維状の廃木材粒子を主として含有する廃木材粉砕物及び前記廃木材粉砕物より少量の吸水性樹脂を含有する混合物層、内側吸水性紙層部及び内面を形成する透水性の薄層部を備えている。
【００１２】
本発明において、植木鉢の蓋部材は、上方に立ち上がる周辺部及び該周辺部に連続する底辺部を有する蓋本体部とを備えており、蓋本体部は、通気性を有する不透水性の外側薄層部及び内面を形成する透水性の薄層部を備え、前記通気性を有し不透水性を有する薄層部の内側に位置する外側吸水性紙層部と、前記外側吸水性紙層部の内側に５ｍｍ以下の粒度の繊維状の廃木材粒子に解繊して、５ｍｍ以下の粒度の繊維状の廃木材粒子を主として含有する廃木材粉砕物及び前記廃木材粉砕物より少量の吸水性樹脂を含有する外側混合物層部と、前記内面を形成する透水性の薄層部の内側に、内側吸水性紙層部と、前記内側吸水性紙層部の内側に５ｍｍ以下の粒度の繊維状の廃木材粒子に解繊して、５ｍｍ以下の粒度の繊維状の廃木材粒子を主として含有する廃木材粉砕物及び前記廃木材粉砕物より少量の吸水性樹脂を含有する内側混合物層部と、内側混合層部と外側混合層部の間に設けられている中間吸水性紙層部とを備えている。
【００１３】
本発明の蓋部材は、内面を形成する第一吸水性紙層部と、外面を形成する第二吸水性紙層部と、前記第一吸水性紙層部及び吸水性混合層部間に設けられ、５ｍｍ以下の粒度の繊維状の廃木材粒子を主として含有する廃木材粉砕物及び該廃木材粉砕物より少量の吸水性樹脂を含む混合物により形成されている吸水性混合層部とを備えており、前記第一及び第二吸水性紙層部並びに前記吸水性混合層部が、合わせられて一体に形成された板部材により壁部を形成することができる。
【００１４】
本発明において、蓋部の吸水性混合層部を形成する混合物は、５ｍｍ以下の粒度の繊維状の廃木材粒子を主として含有する廃木材粉砕物と、５ｍｍ以下の粒度に粉砕されたプラスチック廃材粒子を主として含有し、該廃木材粉砕物より少ない量のプラスチック廃材粉砕物と、廃木材粉砕物の量より少ない量で含有するより少量の吸水性樹脂とを含むプラスチック廃材粉砕物含有の混合物とすることがではきる。
【００１５】
本発明において、蓋部の吸水性紙層部は、レーヨン紙、薄葉紙又は複合紙で形成されている紙層部とすることができる。また本発明において、ふたぶに使用されるプラスチック廃材粉砕物は、５ｍｍ以下の粒度で厚さが２ｍｍ以下の合成樹脂繊維廃材粉砕物、紐状合成樹脂廃材粉砕物、フィルム若しくはシート状の合成樹脂廃材粉砕物、紐状合成ゴム廃材粉砕物、フィルム若しくはシート状の合成ゴム廃材粉砕物又はプラスチックフィルム廃材粉砕物、又は紙おむつ廃材、乳パッド廃材、尿パッド廃材、生理用ナプキン廃材、プラスチック材料製不織布廃材、吸水性繊維若しくはラミネート紙廃材の粉砕物又はそれら二以上の前記廃材の粉砕物の混合物、又は前記前記紙おむつ廃材粉砕物、乳パッド廃材粉砕物、尿パッド廃材粉砕物、生理用ナプキン廃材粉砕物若しくはプラスチック材料製不織布廃材粉砕物若しくはこれら廃材粉砕物の混合物の分離処理により濃縮されたプラスチック材料を含む分離産物若しくはこれら分離産物の二以上の混合物、又は前記一以上の廃材の粉砕物と前記一以上の分離産物の混合物とすることができる。
【００１６】
本発明において、蓋部材に使用される吸水性樹脂は、紙おむつ廃材粉砕物、乳パッド廃材粉砕物、尿パッド廃材粉砕物、生理用ナプキン廃材粉砕物若しくは吸収性繊維廃材粉砕物に含まれる吸水性樹脂又は該吸水性樹脂の混合物、又は紙おむつ廃材粉砕物、乳パッド廃材粉砕物、尿パッド廃材粉砕物若しくは生理用ナプキン廃材粉砕物又はこれら廃材粉砕物の混合物の濃縮された吸水性樹脂若しくは前記濃縮された吸水性樹脂の二以上の混合物、又は前記廃材粉砕物に含まれる吸水性樹脂の一以上と前記濃縮された吸水性樹脂の一以上の混合物とすることができる。吸水性樹脂は、吸水性混合層部に対して５重量パーセント未満の含有率、１０重量パーセント以下の含有率、２０重量パーセント以下若しくは３０重量パーセント以下の含有率で、該吸水性混合層部に含有させることができる。
【００１７】
本発明において、蓋部材は、植木鉢の上端部に被せて、植木鉢からの水分の蒸発を極力抑制するものである。蓋部材は、中央部に植物の茎を通す穴が形成されており、植物を保護するために、少なくとも二分されて形成される。分割された蓋部材の中央部には、合わせたときに栽培又は植生される植物の茎を通すことができる穴が形成されるように窪みが設けられている。
【００１８】
本発明において、廃木材の用語は、木材、建築現場から排出される木材の廃材、並びに取り壊された建造物、家屋及び木造家屋から排出される木材の廃材を意味する。しかし、一般の木材は、高価であり、コスト的に使用することは難しいが、目的に応じては、廃木材に代えて使用することができる。さらに、本発明において、廃木材の用語は、針葉樹、広葉樹、常緑樹及び落葉樹並びに竹の廃材を意味する。
本発明において、廃木材には、金属は出来る限り除去されるのが好ましい。しかし、金属が１ｍｍ以下の粒度に粉砕されている金属粉砕物である場合は、吸水性混合層部の５重量％以下、好ましくは１重量％以下の量で含有されていてもよい。
【００１９】
本発明において、吸水性樹脂の用語は、高級水性樹脂の他に、高級水性樹脂に比して吸水能力が低い吸水性樹脂をも意味する。また、本発明において、プラスチック廃材の用語は、プラスチック物質を含む廃材の他にプラスチック物質を含む材料を意味する。
【００２０】
本発明において、５ｍｍ以下の粒度の繊維状の廃木材粒子を含む繊維化された廃木材粉砕物に、該廃木材粉砕物より少量の５ｍｍ以下の粒度に粉砕されたプラスチック廃材粉砕物の混合は、植木鉢の保水性及び弾力性を増加させ、また熱圧着により板部材を成形することを可能にさせるので好ましい。本発明において、５ｍｍ以下の粒度の繊維状の廃木材粒子を含む繊維化された廃木材粉砕物及び５ｍｍ以下の粒度に粉砕されたプラスチック廃材粉砕物の混合物中のプラスチック廃材粉砕物の混合割合は、４７重量％以下であるが、繊維化された廃木材粉砕物の混合割合が大きくなるほど、植木鉢は吸水性に優れたものとなるので好ましい。繊維化された廃木材粉砕物の混合割合は、例えば、５３重量％以上、好ましくは７０重量％以上、さらに好ましくは、８０重量％以上であるのが好ましい。
【００２１】
本発明において、植木鉢の臭気等の除去機能を蓋部材にもたせるときは、吸水性混合層部に、チタン紙廃材粉砕物、アルミナ紙廃材粉砕物、チタン酸カリウム紙廃材粉砕物又はアルミナシリカ紙廃材粉砕物などの不良無機繊維紙粉砕物又は無機繊維紙廃材粉砕物或いは前記不良無機繊維紙粉砕物又は無機繊維紙廃材粉砕物の二種以上の粉砕物を配合することができる。さらに本発明においては、植木鉢に臭気等の除去機能を持たせるために、前記蓋部材に、不良無機繊維紙粉砕物及び／又は無機繊維廃材粉砕物に加えて、タルク、ゼオライト又はベントナイト等の無機質の吸着剤を配合することができる。植木鉢に防虫機能をもたせるときは、吸水性混合層部に、防虫剤又は殺虫剤を配合することができる。
【００２２】
本発明においては、植木鉢は、内側の透水性の薄層部の破損を避けるために、該第一吸水性紙層部の面上を覆って透水性の薄層部を設けることができる。この透水性の薄層部としては、水透過の程度に応じた大きさの孔を有する多孔膜、例えば、ポリプロピレン、ポリエチレン、ナイロン若しくはビニロン等のプラスチック繊維製の不織布又はポリエチレンフィルム、ポリプロピレンフィルム、塩化ビニル樹脂フィルム等のプラスチックフィルム製の多孔膜を使用することができ、又は水透過の程度に応じた透水機能を有する湿式又は乾式の不織布とすることができる。本発明において、透水性の薄層部を設けて植木鉢の内面を形成する場合には、底部に形成される水抜き用の孔を覆って設けると、透水性の薄層部が虫よけ機能を有するので、虫よけ用の網を水抜き用の孔を覆って設ける必要がなくなる。
【００２３】
防虫剤が付与された透水性材料で、植木鉢の透水性薄層部を形成すると、該植木鉢の使用中に、害虫を防除できるので好ましい。また、本発明において、内側の第一吸水性紙層部、外側の第二吸水性紙層部及び中間部の中間吸水性紙層部は、吸収紙、吸水紙又はクレープ紙等の薄葉紙で形成されるのが、良好な吸水性を確保できるので好ましい。また、本発明において、吸水紙には、パルプと化学繊維を液中に分散させ、抄紙して製造した複合紙を使用することができる。薄葉紙に例えばポリプロピレン製の化学繊維紙等の化学繊維紙を貼り合わせた吸水性又は透水性を有する複合紙を使用することができる。
【００２４】
本例の植木鉢においては、側壁部及び底壁部は、共に、ポリエチレンフィルムで覆われており、不透水性であるが、吸水性及び保水性を有し、且つ酸素透過性であるので、植木鉢に植物を植えて十分に水やりをしても、鉢用土中の水は植木鉢の側壁部及び底壁部に吸水されて、保水される。したがって、本例の植木鉢では、鉢用土中の水は、植木鉢の側壁部及び底壁部に吸水されて、保水された状態に保たれ、一部は植木鉢の上部から蒸発して減少する。しかし蒸発により失われた鉢用土中の水は、植木鉢の側壁部及び底壁部に保水されている水分により補われる。植木鉢の鉢用土中にかなりの多量の水が存在しても、側壁部２が酸素透過性であるので、水中に空気中の酸素が吸収されて酸素が存在するので、植物の根が根腐れを起こすことはなかった。
【００２５】
【発明の効果】
本発明の植木鉢は、外側に不透水性で通気性のプラスチックフィルムを取り付けるので、植木鉢の壁体が水を通し難いが、吸水性及び保水性に優れたものとなり、潅水されて、用土内に過剰となった水は、植木鉢の壁に、吸水及び保水され、この植木鉢の壁に吸水され保水された水は，用土が乾燥状態に至らないように用土に放水され、また、植木鉢の壁体を囲むフィルムが、通気性を有するので、空気を通して、酸素を溶解した水が保水されて、植木鉢内の水の腐敗を防止して、植生される植物の根腐れ等の害を少なくすることができ、一回の潅水で長時間放置することが可能となる。